(57)【要約】【課題】車両用横滑り防止制御装置において、ユーザの要求と横滑り防止制御の禁止及び許可の切り換えとに応じてヒルホールド制御の禁止及び許可を適切に切り換え可能とする。【解決手段】本発明の横滑り防止制御装置２は、車両１の坂道発進を補助するように車両１を制動するヒルホールド制御を実行可能に構成されるヒルホールド制御部２ａを有し、横滑り防止制御が禁止され、かつ車両１の変速機４が第１の変速設定に定められている状態で、ヒルホールド制御を禁止し、かつ横滑り防止制御が禁止され、かつ変速機４が第１の変速設定とは異なる第２の変速設定に定められている状態で、ヒルホールド制御を許可する。【選択図】図２
2020093617.tif 000002
【特許請求の範囲】
【請求項１】
車両の横滑りを防止する横滑り防止制御を実行可能に構成される車両用横滑り防止制御装置であって、
前記車両の坂道発進を補助するように前記車両を制動するヒルホールド制御を実行可能に構成されるヒルホールド制御部を備え、
前記横滑り防止制御が禁止され、かつ前記車両の変速機が第１の変速設定に定められている状態で、前記ヒルホールド制御を禁止し、かつ前記横滑り防止制御が禁止され、かつ前記車両の変速機が前記第１の変速設定とは異なる第２の変速設定に定められている状態で、前記ヒルホールド制御を許可するように構成されている車両用横滑り防止制御装置。
【請求項２】
前記変速機が前記第１の変速設定に定められている状態で、前記横滑り防止制御が禁止された場合に、前記ヒルホールド制御を禁止し、かつ前記変速機が前記第２の変速設定に定められている状態で、前記横滑り防止制御が禁止された場合に、前記ヒルホールド制御を許可するように構成されている請求項１に記載の車両用横滑り防止制御装置。
【請求項３】
前記車両が、それぞれ前記横滑り防止制御の許可及び禁止を切り換えるようにオン及びオフに切り換え可能に構成される制御スイッチを有し、
前記ヒルホールド制御の許可及び禁止がそれぞれ前記制御スイッチのオン及びオフによってもたらされるように構成されている請求項２に記載の車両用横滑り防止制御装置。
【請求項４】
前記制御スイッチが、前記制御スイッチを所定の時間以上継続的に操作している状態を維持することによってオンからオフに切り換えられるように構成されている、請求項３に記載の車両用横滑り防止制御装置。
【請求項５】
前記車両が四輪駆動にて走行可能に構成され、
前記第１の変速設定が、前記四輪駆動における複数の変速モードのうち１つとなっている、請求項１〜４のいずれか一項に記載の車両用横滑り防止制御装置。
【請求項６】
前記車両のエンジン及び走行駆動モータの少なくとも一方におけるオン及びオフを切り換えるようにそれぞれオン及びオフに切り換え可能に構成されるイグニッションスイッチを備え、
前記ヒルホールド制御が禁止された状態であっても、前記イグニッションスイッチがオフからオンに切り換えられるまでの期間、前記イグニッションスイッチがオンに切り換えられてから所定の時間経過するまでの期間、又は前記イグニッションスイッチがオンに切り換えられてから前記車両が所定の速度に到達するまでの期間にて、前記ヒルホールド制御が許可された状態となるように構成されている請求項１〜５のいずれか一項に記載の車両用横滑り防止制御装置。
【請求項７】
前記横滑り防止制御が禁止され、かつ前記ヒルホールド制御が禁止された状態で、前記横滑り防止制御を許可することによって、前記ヒルホールド制御を許可するように構成されている請求項１〜６のいずれか一項に記載の車両用横滑り防止制御装置。
【請求項８】
前記横滑り防止制御が禁止され、かつ前記ヒルホールド制御が禁止された状態で、前記変速機を前記第１の変速設定から前記第２の変速設定に切り換えることによって、前記ヒルホールド制御を許可するように構成されている請求項１〜７のいずれか一項に記載の車両用横滑り防止制御装置。
【請求項９】
前記車両のメーターパネル内に配置されるインフォメーションディスプレイを備え、
前記ヒルホールド制御が禁止されていることが、前記インフォメーションディスプレイに表示可能に構成されている、請求項１〜８のいずれか一項に記載の車両用横滑り防止制御装置。
【発明の詳細な説明】
【技術分野】
【０００１】
本発明は、車両の横滑りを防止可能とする車両用横滑り防止制御装置に関する。
【背景技術】
【０００２】
自動車等の車両の多くには、車両を安定的に走行させる横滑り防止制御を実行可能とする装置（横滑り防止制御装置）が搭載されている。横滑り防止制御装置は、「ＥＳＰ（登録商標）」（Electronic Stability Program）と呼ばれることもある。かかる装置は、車両を安定的に走行させるためにタイヤのスリップ、車両の横滑り等を防止可能とする種々の機能を備えており、かつこのような機能を発揮するために車両の制動力、駆動力等を調節するようになっている。例えば、横滑り防止制御は、車両の発進時及び加速時におけるタイヤの空転を防止するトラクション制御、車両をコーナリング時に安定的に走行させるスタビリティ制御等を含むことがある。
【０００３】
横滑り防止制御は、悪路走行時にも車両を安定的に走行させるように実行される。しかしながら、悪路走行特有の条件下で車両の運転を楽しみたいという要望が存在する。そのため、横滑り防止制御装置は、ユーザが横滑り防止制御を実行可能とするオン状態と同制御を禁止するオフ状態とを切り換えることができるように構成されることがある。
【０００４】
このような横滑り防止制御装置の一例としては、横滑り防止制御のオン状態と同制御のオフ状態とを運転者のスイッチ操作によって切り換えることができるように構成され、かつ横滑り防止抑制のオフ状態では、横滑り防止制御を禁止するように構成される横滑り防止制御装置が挙げられる。（例えば、特許文献１を参照。）
【０００５】
また、自動車等の車両は、車両の坂道発進を補助するように車両を制動するヒルホールド制御を実行可能に構成されることがある。
【先行技術文献】
【特許文献】
【０００６】
【特許文献１】特開２００７−３０７９３０号公報
【発明の概要】
【発明が解決しようとする課題】
【０００７】
自動車等の車両において、上述のようなヒルホールド制御を禁止した場合、坂道発進を適切にできなくなるおそれがある。そのため、車両は、典型的に上記横滑り防止制御装置の一例のように横滑り防止制御を禁止した場合であっても、ヒルホールド制御を実行可能とするように構成されている。しかしながら、ヒルホールド制御が実行された状態で、車両がぬかるみ、雪道等にてスタックすると、ヒルホールド制御にて実行される車両の制動によって車両がスタック状態から脱出できないおそれがある。
【０００８】
このような実情を鑑みると、車両用横滑り防止制御装置において、ユーザの要求と横滑り防止制御の禁止及び許可の切り換えとに応じてヒルホールド制御の禁止及び許可を適切に切り換え可能とすることが望まれる。
【課題を解決するための手段】
【０００９】
上述のような課題を解決するために、一態様に係る車両用横滑り防止制御装置は、車両の横滑りを防止する横滑り防止制御を実行可能に構成される車両用横滑り防止制御装置であって、前記車両の坂道発進を補助するように前記車両を制動するヒルホールド制御を実行可能に構成されるヒルホールド制御部を備え、前記横滑り防止制御が禁止され、かつ前記車両の変速機が第１の変速設定に定められている状態で、前記ヒルホールド制御を禁止し、かつ前記横滑り防止制御が禁止され、かつ前記車両の変速機が前記第１の変速設定とは異なる第２の変速設定に定められている状態で、前記ヒルホールド制御を許可するように構成されている。
【発明の効果】
【００１０】
一態様に係る車両用横滑り防止制御装置においては、ユーザの要求と横滑り防止制御の禁止及び許可の切り換えに応じてヒルホールド制御の許可及び禁止を適切に切り換えることができる。
【図面の簡単な説明】
【００１１】
【図１】図１は、本実施形態に係る車両用横滑り防止制御装置を搭載した車両が坂道発進をしている状態を概略的に示す側面図である。
【図２】図２は、本実施形態に係る車両用横滑り防止制御装置を搭載した車両の構成図である。
【図３】図３は、本実施形態に係る車両用横滑り防止制御装置を搭載した車両の車室内におけるインストルメントパネルの運転席側部分周辺を概略的に示す斜視図である。
【図４】図４は、本実施形態に係る車両用横滑り防止制御装置の制御方法の一例を説明するためのフローチャートである。
【発明を実施するための形態】
【００１２】
本実施形態に係る車両用横滑り防止制御装置について説明する。本実施形態に係る横滑り防止制御装置を適用する車両は自動車とする。しかしながら、横滑り防止制御装置は、自動車以外の車両にも適用することもできる。特に、横滑り防止制御装置は、軌道上を走行する車両以外の車両であって、二輪駆動及び四輪駆動の少なくとも一方によって走行可能に構成される車両に適用されるとよい。
【００１３】
「横滑り防止制御装置の概略」
図１及び図２に示すように、本実施形態において、車両１が横滑り防止制御装置２を有する。横滑り防止制御装置（以下、必要に応じて単に「制御装置」という）２は、車両１の横滑りを防止する横滑り防止制御を実行可能に構成される。
【００１４】
制御装置２は、車両１の坂道発進を補助するように車両１を制動するヒルホールド制御を実行可能に構成されるヒルホールド制御部２ａを有する。具体的には、図１に示すように、ヒルホールド制御は、車両１が坂道Ｐで停止した状態から坂道Ｐを登るように発進するときに、車両１が重力により後退することを防ぎながら車両１を発進させることを可能とすべくヒルホールド時間ｔの間、車両１のブレーキ３によって車両１を制動するものとなっている。ヒルホールド時間ｔ、又はヒルホールド時間ｔ及びブレーキ３の制動力の組み合わせは、車両１が重力により後退することを防ぎながら車両１を発進させることを可能とするように定められる。
【００１５】
図２に示すように、車両１は変速機４を有する。変速機４は、車両１の状態、特に、車両１の走行状態を変化させるように複数の変速設定に変更可能に構成される。かかる制御装置２は、横滑り防止制御が禁止され、かつ変速機４が第１の変速設定に定められている状態で、ヒルホールド制御を禁止するように構成されている。制御装置２はまた、横滑り防止制御が禁止され、かつ変速機４が第２の変速設定に定められている状態で、ヒルホールド制御を許可するように構成されている。第２の変速設定は第１の変速設定とは異なる。
【００１６】
さらに、制御装置２は次のように構成されるとよい。制御装置２は、変速機４が第１の変速設定に定められている状態で、横滑り防止制御が禁止された場合に、ヒルホールド制御を禁止するように構成されている。また、制御装置２は、変速機４が第２の変速設定に定められている状態で、横滑り防止制御が禁止された場合には、ヒルホールド制御を許可するように構成されている。
【００１７】
図２及び図３に示すように、車両１は、それぞれ横滑り防止制御の許可及び禁止を切り換えるようにオン及びオフに切り換え可能に構成される制御スイッチ１１を有する。すなわち、制御スイッチ１１がオンであるときに横滑り防止制御が許可され、かつ制御スイッチ１１がオフであるときに横滑り防止制御が禁止される。制御装置２においては、ヒルホールド制御の許可及び禁止がそれぞれ制御スイッチ１１のオン及びオフによってもたらされるようになっている。
【００１８】
かかる制御スイッチ１１は、この制御スイッチ１１を所定の継続操作時間ｕ以上の間継続的に操作している状態を維持することによってオンからオフに切り換えられるように構成されている。継続操作時間ｕは約２ｓｅｃ（秒）とすることができ、より好ましくは、約３ｓｅｃ（秒）とすることができる。しかしながら、継続操作時間は、これに限定されない。
【００１９】
車両１は、四輪駆動にて走行可能に構成されており、上記第１の変速設定は、四輪駆動における複数の変速モードのうちの１つとなっている。車両１は、そのエンジン５におけるオン及びオフを切り換えるようにそれぞれオン及びオフに切り換え可能に構成されるイグニッションスイッチ１２を有する。なお、イグニッションスイッチは、車両の走行駆動モータにおけるオン及びオフを切り換えるようにそれぞれオン及びオフに切り換え可能に構成することもできる。さらに、イグニッションスイッチは、車両のエンジン及び走行駆動モータにおけるオン及びオフを切り換えるようにそれぞれオン及びオフに切り換え可能に構成することもできる。
【００２０】
このような制御装置２は、次のような条件（以下、必要に応じて「ヒルホールド許可条件」という）にてヒルホールド制御を許可する。ヒルホールド許可条件について、制御装置２は、ヒルホールド制御が禁止された状態であっても、イグニッションスイッチ１２がオフからオンに切り換えられるまでの期間にて、ヒルホールド制御が許可された状態となるように構成されている。
【００２１】
代替的には、制御装置２は、ヒルホールド制御が禁止された状態であっても、イグニッションスイッチ１２がオンに切り換えられてから所定の待機時間ｖ経過するまでの期間にて、ヒルホールド制御が許可された状態となるように構成される。例えば、待機時間ｖは、約１ｓｅｃ以上かつ約３ｓｅｃ以下とすることができ、特に、待機時間ｖは、約２ｓｅｃとすることができる。しかしながら、待機時間は、これに限定されず、イグニッションスイッチ１２がオンに切り換えられてから、運転車が車両の走行操作を開始し得るまでの間の時間であればよい。
【００２２】
さらに代替的には、制御装置２は、ヒルホールド制御が禁止された状態であっても、イグニッションスイッチ１２がオンに切り換えられてから、車両１の走行速度（車速）が所定の立ち上がり速度ｗに到達するまでの期間にて、ヒルホールド制御が許可された状態となるように構成される。例えば、立ち上がり速度ｗは、約１０ｋｍ／ｈ以上かつ約３０ｋｍ／ｈ以下とすることができ、特に、約２０ｋｍ／ｈとすることができる。しかしながら、立ち上がり速度は、これに限定されず、車両の徐行速度の上限値等とすることもできる。このような制御装置２を搭載する車両１は、車速を検出可能に構成される車速検出部である車速センサ６を有するとよい。しかしながら、車速検出部は、これに限定されず、車速センサ以外とすることもできる。
【００２３】
別のヒルホールド許可条件について、制御装置２は、横滑り防止制御が禁止され、かつヒルホールド制御が禁止された状態で、横滑り防止制御を許可することによって、ヒルホールド制御を許可するように構成される。さらなる別のヒルホールド許可条件について、制御装置２は、横滑り防止制御が禁止され、かつヒルホールド制御が禁止された状態で、変速機４を第１の変速設定から第２の変速設定に切り換えることによって、ヒルホールド制御を許可するように構成される。
【００２４】
加えて、車両１は、メーターパネル１３内に配置されるインフォメーションディスプレイ１４を有する。インフォメーションディスプレイ１４は、液晶パネル、有機ＥＬ（Electro Luminescence）パネル、ＬＥＤ（Light Emitting Diode）パネル等であるとよい。かかるインフォメーションディスプレイ１４は、ヒルホールド制御が禁止されていることを表示可能に構成される。
【００２５】
「横滑り防止制御装置の詳細」
横滑り防止制御装置２は詳細には次のように構成されるとよい。横滑り防止制御装置２は、一例として、ＣＰＵ（Central Processing Unit）、ＲＡＭ（Random Access Memory）、ＲＯＭ（Read Only Memory）、フラッシュメモリ、入力インターフェース、出力インターフェース等の電子部品と、かかる電子部品を配置した電気回路とを含むように構成されるとよい。そして、制御装置２は、各種制御を実行するためのプログラム等を含んでいるとよい。しかしながら、制御装置は、これに限定されない。
【００２６】
図１及び図２に示すように、制御装置２は、車両１の駆動輪７の駆動力を制御するトラクション制御を実行可能に構成されるトラクション制御部２ｂを有する。具体的には、トラクション制御は、車両１の発進又は加速時に駆動輪７の空転を防止するように駆動輪７の駆動力を制御するものとなっている。
【００２７】
制御装置２は、車両１をコーナリング時に安定的に走行させるスタビリティ制御を実行可能に構成されるスタビリティ制御部２ｃを有する。特に、スタビリティ制御部２ｃは、車両１がコーナリング時にコーナの外側に膨らむように移動すること、車両１のコーナリング時のスピン等を防止するとよい。さらに、制御装置２は、ＥＢＤ（Electronic Brake force Distribution）制御、ＡＢＳ（Antilock Brake System）制御、ＥＤＣ（Engine Drag Control）、ブレーキアシスト制御等を可能とするように構成されるとよい。
【００２８】
ここで、車両１は、二輪駆動と四輪駆動とに切り換え可能となっている。二輪駆動は、前輪駆動方式及び後輪駆動方式のいずれであってもよい。図１においては、車両１が四輪駆動になっており、かかる車両１における４つの走行輪のそれぞれが駆動輪７になっている。しかしながら、本発明はこれに限定されず、車両は、二輪駆動及び四輪駆動のいずれかのみであってもよい。なお、車両１における二輪駆動と四輪駆動との切換の詳細については後述する。
【００２９】
かかる制御装置２は、横滑り防止制御が禁止され、かつ変速機４が第１の変速設定に定められている状態で、上述のようにヒルホールド制御を禁止する一方で、トラクション制御及びスタビリティ制御の少なくとも一方を許可するように構成できる。制御装置２はまた、横滑り防止制御が禁止され、かつ変速機４が第２の変速設定に定められている状態で、上述のようにヒルホールド制御を許可する一方で、トラクション制御及びスタビリティ制御の少なくとも一方を禁止するように構成できる。
【００３０】
変速機４における複数の変速設定は、四輪駆動の低速モード（４Ｌモード）と四輪駆動の高速モード（４Ｈモード）とを含む。四輪駆動の低速モードにおける減速比の範囲は、同高速モードにおける減速比の範囲よりも高くなっており、四輪駆動の低速モードにおける車両１の駆動力は、同高速モードにおける車両１の駆動力よりも大きくなっている。さらに、上述のように車両１が二輪駆動と四輪駆動とに切り換え可能である構成において、これらの変速設定は、四輪駆動の低速及び高速モードに加えて、二輪駆動モード（２Ｈモード）を含むとよい。第１の変速設定は四輪駆動の低速モードであるとよい。さらに、第２の変速設定は、四輪駆動の高速モード及び二輪駆動モードの少なくとも一方であるとよく、第２の変速設定は、四輪駆動の低速モード以外のモードであるとよい。
【００３１】
なお、変速設定は、四輪駆動の３つ以上の変速モードを含むこともできる。また、変速設定は、四輪駆動の少なくとも１つの変速モードと、二輪駆動の少なくとも１つの変速モードとを含むことができる。例えば、複数の変速設定は、四輪駆動モード及び二輪駆動モードを含むようにすることもできる。この場合、第１の変速設定は四輪駆動モードであるとよい。第２の変速設定は二輪駆動モードであるとよく、第２の変速設定は四輪駆動モード以外のモードであるとよい。
【００３２】
しかしながら、変速設定は、このような変速モードに限定されない。例えば、変速設定は、オートマティック車の変速レンジとすることもできる。かかる変速レンジは、パーキングレンジ（Ｐレンジ）、リバースレンジ（Ｒレンジ）、ニュートラルレンジ（Ｎレンジ）、ドライブレンジ（Ｄ）、２速レンジ（２レンジ）、ローレンジ（Ｌレンジ）等を含むこともできる。この場合、第１の変速設定はローレンジとすることができ、第２の変速設定はローレンジ以外の変速レンジとすることができる。また、第１の変速設定は２速レンジ及びローレンジとすることができ、第２の変速設定は２速レンジ及びローレンジ以外の変速レンジとすることができる。
【００３３】
例えば、変速設定は、マニュアル車又はスポーツモードのオートマティック車の変速ギアとすることもできる。かかる変速ギアは、１速ギア〜ｉ速ギア（ｉは２以上の整数）、リバースギア（Ｒギア）、ニュートラルギア（Ｎギア）等を含むことができる。この場合、第１の変速設定は１速ギアとすることができ、第２の変速設定は１速ギア以外の変速ギアとすることができる。また、ｉが４以上である場合には、第１の変速設定は１速及び２速ギアであるとよく、第２の変速設定は１速及び２速ギア以外の変速ギアであるとよい。
【００３４】
図３に示すように、車両１は、変速モードの切換を指示可能に構成されるトランスファーレバー１５を有する。車両１は、変速レンジ又は変速ギアの切換を指示可能に構成されるシフトレバー１６を有する。トランスファーレバー１５及びシフトレバー１６は、車室１０内の運転席周辺に配置される。本実施形態において、変速設定が変速モードである場合、変速設定の切換を指示可能に構成されるレバーはトランスファーレバー１５となる。しかしながら、変速設定が変速レンジ又は変速ギアである場合、変速設定の切換を指示可能に構成されるレバーはシフトレバー１６となる。
【００３５】
次に、図３に示すように、制御スイッチ１１は車室１０内の運転席周辺に配置される。制御スイッチ１１はボタンとすることができる。この場合、ボタンである制御スイッチ１１を所定の継続操作時間ｕの間継続的に押している状態を維持することによって、制御スイッチ１１をオンからオフに切り換えることができる。しかしながら、制御スイッチは、ボタン以外とすることができる。例えば、制御スイッチは、ダイヤル、レバー等とすることもできる。
【００３６】
図２及び図３に示すように、イグニッションスイッチ１２は、車両１のエンジン５におけるオン及びオフの切換に加えて、カーオーディオ、ランプ等の電気系統のオン及びオフを切り換え可能に構成されるとよい。イグニッションスイッチ１２は、エンジン５をオフにし、かつ車両１のカーオーディオ、ランプ等のアクササリ用電気系統をオフにした状態（いわゆる「ＯＦＦ」状態）と、エンジン５をオフにし、かつアクササリ用電気系統をオンにした状態（いわゆる「ＡＣＣ（ACCESSORY）」状態）と、エンジン５をオンにし、かつアクササリ用電気系統をオンにした状態（いわゆる「ＳＴＡＲＴ」状態）とに切り換え可能になっている。なお、イグニッションスイッチ１２は、エンジン５を起動させるためのセルモータ等の起動用電気系統をオンにした状態（いわゆる「ＯＮ」状態）にさらに切り換えることができてもよい。
【００３７】
イグニッションスイッチ１２は、車室１０内の運転席周辺に配置される。図３においては、イグニッションスイッチ１２はボタンとなっており、特に、かかるボタンはスマートエントリ（登録商標）、キーレススタート等に対応するとよい。しかしながら、イグニッションスイッチは、これに限定されない。例えば、イグニッションスイッチはキーシリンダ等とすることもできる。
【００３８】
メーターパネル１３は、車室１０内のインストルメントパネル１７に配置される。より具体的には、メーターパネル１３は、ステアリングホイール１８に対して車両前方に位置するインストルメントパネル１７の運転席正面部分１７ａに配置される。図３においては、メーターパネル１３は、車両幅方向に並ぶ２つの計器１３ａ，１３ｂを有し、インフォメーションディスプレイ１４は、車両幅方向にて第１及び第２計器１３ａ，１３ｂ間に配置されている。例えば、第１計器１３ａ及び第２計器１３ｂは、それぞれ、タコメータ及びスピードメータとすることができる。しかしながら、インフォメーションディスプレイは、運転者に視認可能なようにメーターパネル内に配置されていれば、これに限定されない。
【００３９】
「横滑り防止制御装置の制御方法」
図４を参照して、横滑り防止制御装置２の制御方法の一例について説明する。最初に、車両１がヒルホールド制御を許可した状態にある（ステップＳ１）。制御スイッチ１１が継続操作時間ｕ以上の間継続的に操作している状態を維持されることによってオンになったか否かを判定する（ステップＳ２）。
【００４０】
制御スイッチ１１がオンになっていない場合（ＮＯ）、ヒルホールド制御を許可した状態を維持する（ステップＳ１）。制御スイッチ１１がオンになった場合（ＹＥＳ）、変速機４が第１の変速設定に定められているか否かを判定する（ステップＳ３）。
【００４１】
変速機４が第１の変速設定に定められていない場合、例えば、変速機４が第２の変速設定に定められている場合（ＮＯ）、ヒルホールド制御を許可した状態を維持する（ステップＳ１）。変速機４が第１の変速設定に定められている場合（ＹＥＳ）、ヒルホールド制御を禁止する（ステップＳ４）。次に、車両１が上述したヒルホールド許可条件にあるか否かを判定する（ステップＳ５）。
【００４２】
車両１が上述したヒルホールド許可条件にない場合（ＮＯ）、ヒルホールド制御を禁止した状態を維持する（ステップＳ４）。車両１が上述したヒルホールド許可条件にある場合（ＮＯ）、ヒルホールド制御を許可する（ステップＳ６）。
【００４３】
以上、本実施形態に係る横滑り防止制御装置２においては、ユーザが横滑り防止制御の禁止及び許可を切り換えると共に車両１の変速機４を第１及び第２の変速設定間で切り換えることによって、ヒルホールド制御の禁止及び許可が切り換えられる。例えば、ユーザが自らの意思で横滑り防止制御を禁止すると共に車両１の変速機４を第１の変速設定に設定すれば、ヒルホールド制御を禁止できる。この場合、ユーザの意図に反して坂道Ｐ、ぬかるみ等にて車両１が制動することを防止できるので、例えば、悪路走行特有の条件下で坂道発進を含む車両１の運転を楽しみたいとするユーザの要求を満たすことができ、車両１をスタック状態から効率的に脱出させることができる。その一方で、例えば、ユーザが自らの意思で横滑り防止制御を禁止すると共に車両１の変速機４を第２の変速設定に設定すれば、ヒルホールド制御を許可できる。この場合、悪路走行特有の条件下で車両の運転を楽しみたいとする一方で、坂道発進の補助を望むユーザの要求を満たすことができる。さらに、ヒルホールド制御の禁止及び許可を切り換えるために、横滑り防止制御の禁止及び許可の切換と変速機の変速設定の切換とが必要となる。そのため、ユーザが誤ってヒルホールド制御を禁止することを防止できる。よって、ユーザの要求と横滑り防止制御の禁止及び許可の切り換えとに応じてヒルホールド制御の禁止及び許可を適切に切り換えることができる。付随的には、ヒルホールド制御の禁止及び許可を切り換えるためのみに用いられるスイッチ等の部品を別途設ける必要がないので、部品点数の増加を防止できる。
【００４４】
本実施形態に係る横滑り防止制御装置２においては、変速機４が第１の変速設定に定められている状態で、横滑り防止制御が禁止された場合に、ヒルホールド制御を禁止し、かつ変速機４が第２の変速設定に定められている状態で、横滑り防止制御が禁止された場合に、ヒルホールド制御を許可するように構成されている。
【００４５】
ここで、ユーザは、横滑り防止制御が禁止された状態においても、車両１の走行状態等に応じて瞬時の判断によって変速機４の変速設定を切り換えることが多い。そのため、ヒルホールド制御の禁止及び許可を切り換えるために横滑り防止制御を禁止した後に、変速機４を第１及び第２の変速設定間で切り換えることが必要になった場合、ユーザの不用意な変速設定の切換によってユーザの意図に反してヒルホールド制御が禁止及び許可されるおそれがある。これに対して、本実施形態に係る横滑り防止制御装置２においては、ユーザが、ヒルホールド制御を禁止するために、最初に変速機４を第１の変速設定に設定し、その後、横滑り防止制御を禁止する。そのため、ユーザの不用意な変速設定の切換によってユーザの意図に反してヒルホールド制御が禁止及び許可されることを効率的に防止できる。よって、ユーザの要求と横滑り防止制御の禁止及び許可の切り換えとに応じてヒルホールド制御の禁止及び許可を適切に切り換えることができる。
【００４６】
本実施形態に係る横滑り防止制御装置２は、それぞれ横滑り防止制御の許可及び禁止を切り換えるようにオン及びオフに切り換え可能に構成される制御スイッチ１１を有し、ヒルホールド制御の許可及び禁止がそれぞれ制御スイッチ１１のオン及びオフによってもたらされるように構成されている。そのため、横滑り防止制御の許可及び禁止を切り換えるために制御スイッチ１１を操作すれば、ヒルホールド制御の許可及び禁止を切り換えることができるので、ユーザの要求と横滑り防止制御の禁止及び許可の切り換えとに応じてヒルホールド制御の禁止及び許可を適切に切り換えることができる。
【００４７】
本実施形態に係る横滑り防止制御装置２においては、制御スイッチ１１が、この制御スイッチ１１を継続操作時間ｕ以上継続的に操作している状態を維持ことによってオンからオフに切り換えられるように構成されている。そのため、ユーザが誤って制御スイッチ１１に瞬間的に接触したことに起因して横滑り防止制御及びヒルホールド制御がユーザの意図に反して禁止されることを防止できる。よって、ユーザの要求と横滑り防止制御の禁止及び許可の切り換えとに応じてヒルホールド制御の禁止及び許可を適切に切り換えることができる。
【００４８】
本実施形態に係る横滑り防止制御装置２においては、車両１が四輪駆動にて走行可能に構成され、第１の変速設定が、四輪駆動における複数の変速モードのうち１つとなっている。そのため、変速機が悪路走行時に主に用いられる四輪駆動の変速設定、特に、四輪駆動の低速モードに定められている場合にヒルホールド制御を禁止できるので、悪路走行時において、ユーザの要求と横滑り防止制御の禁止及び許可の切り換えとに応じてヒルホールド制御の禁止及び許可を適切に切り換えることができる。
【００４９】
本実施形態に係る横滑り防止制御装置２は、それぞれ車両１のエンジン５のオン及びオフを切り換えるようにオン及びオフに切り換え可能に構成されるイグニッションスイッチ１２を有し、ヒルホールド制御が禁止された状態であっても、イグニッションスイッチ１２がオフからオンに切り換えられるまでの期間、イグニッションスイッチ１２がオンに切り換えられてから待機時間ｖ経過するまでの期間、又はイグニッションスイッチ１２がオンに切り換えられてから車両１の走行速度が立ち上がり速度ｗに到達するまでの期間にて、ヒルホールド制御が許可された状態となるように構成されている。
【００５０】
そのため、イグニッションスイッチ１２がオフになると、ヒルホールド制御が必ず許可される。例えば、ユーザがヒルホールド制御を禁止したことを忘れた場合であっても、イグニッションスイッチ１２をオフにすることによってヒルホールド制御が許可される。従って、ユーザの不注意に起因してヒルホールド制御を禁止した状態が継続されるのを防ぐことができる。よって、ユーザの要求と横滑り防止制御の禁止及び許可の切り換えとに応じてヒルホールド制御の禁止及び許可を適切に切り換えることができる。
【００５１】
本実施形態に係る横滑り防止制御装置２においては、横滑り防止制御が禁止され、かつヒルホールド制御が禁止された状態で、横滑り防止制御を許可することによって、ヒルホールド制御を許可するように構成されている。
【００５２】
ここで、ユーザが横滑り防止制御を許可する場合、ユーザは車両を安定的に走行させることを望んでいる状況が多く、さらに、ユーザが坂道発進の補助を望む状況が多い。これに対して、本実施形態に係る横滑り防止制御装置２においては、このような状況にて横滑り防止制御の許可と一緒にヒルホールド制御を許可するので、ユーザの要求と横滑り防止制御の禁止及び許可の切り換えとに応じてヒルホールド制御の禁止及び許可を適切に切り換えることができる。
【００５３】
本実施形態に係る横滑り防止制御装置２においては、横滑り防止制御が禁止され、かつヒルホールド制御が禁止された状態で、変速機４を第１の変速設定から第２の変速設定に切り換えることによって、ヒルホールド制御を許可するように構成されている。
【００５４】
ここで、ユーザが変速機４を第１の変速設定から第２の変速設定に切り換える場合、特に、ユーザが、第１の変速設定から、第１の変速設定よりも小さな駆動力をもたらす第２の変速設定に切り換える場合、ユーザは車両を安定的に走行させることを望んでいる状況が多く、さらに、ユーザが坂道発進の補助を望む状況が多い。これに対して、本実施形態に係る横滑り防止制御装置２においては、このような状況にて変速機４を第１の変速設定から第２の変速設定に切り換えることによって、ヒルホールド制御を許可するので、ユーザの要求と横滑り防止制御の禁止及び許可の切り換えとに応じてヒルホールド制御の禁止及び許可を適切に切り換えることができる。
【００５５】
本実施形態に係る横滑り防止制御装置２は、車両１のメーターパネル１３内に配置されるインフォメーションディスプレイ１４を有し、ヒルホールド制御が禁止されていることが、インフォメーションディスプレイ１４に表示可能に構成されている。そのため、ユーザは、インフォメーションディスプレイ１４上で、ヒルホールド制御が禁止されていることを確実に確認できる。よって、ユーザの要求と横滑り防止制御の禁止及び許可の切り換えとに応じてヒルホールド制御の禁止及び許可を適切に切り換えることができる。付随的には、インフォメーションディスプレイ１４は、液晶パネル、有機ＥＬパネル、ＬＥＤパネル等の画像表示装置である場合には、ヒルホールド制御が禁止されていることを容易に表示することができる。さらに、ヒルホールド制御が禁止されていることを示す専用ランプを別途設ける必要がないので、部品点数の増加を防止できる。
【００５６】
ここまで本発明の実施形態について説明したが、本発明は上述の実施形態に限定されるものではなく、本発明は、その技術的思想に基づいて変形及び変更可能である。
【符号の説明】
【００５７】
１…車両、２…横滑り防止制御装置（制御装置）、２ａ…ヒルホールド制御部、４…変速機、５…エンジン、１１…制御スイッチ、１２…イグニッションスイッチ、１３…メーターパネル、１４…インフォメーションディスプレイ
【図１】
2020093617.tif 000003
【図２】
2020093617.tif 000004
【図３】
2020093617.tif 000005
【図４】
2020093617.tif 000006